(57)【要約】      （修正有）【課題】突入電流を抑制できるサージ電流抑制回路を提供する。【解決手段】サージ電流抑制回路は、ＡＣ電源と、第１のＡＣ電力線及び第２のＡＣ電力線を経由してＡＣ電力を受ける電子装置との間に適用される。前記サージ電流抑制回路は、前記第１のＡＣ電力線に接続された第１の入力ヒューズ１１と、サージ電流を抑制すべく前記第１のＡＣ電力線の前記第1の入力ヒューズに直列に接続された第１の空心誘導子１２とを備える。実際の適用に応じて、前記サージ電流抑制回路は、さらに、前記第２のＡＣ電力線に接続された第２の空心誘導子と、前記２本のＡＣ電力線間又は該両電力線に接続されたコンデンサとを備えることができる。【選択図】図１
2013009475.tif 000002
【特許請求の範囲】
【請求項１】
ＡＣ電源と、第１の電力線及び第２の電力線を経由してＡＣ電力を受ける電子装置との間に適用されるサージ電流抑制回路であって、
前記第１の電力線に接続された第１の入力ヒューズと、
前記第１のＡＣ電力線及び前記第２のＡＣ電力線に流れるサージ電流を抑制すべく、前記第１のＡＣ電力線の前記第１の入力ヒューズに直列に接続された第１の空心誘導子とを含む、サージ電流抑制回路。
【請求項２】
さらに、前記ＡＣ電源と前記電子装置との間で前記第２のＡＣ電力線に接続された第２の空心誘導子を含む、請求項1に記載のサージ電流抑制回路。
【請求項３】
さらに、前記第１のＡＣ電力線及び前記第２のＡＣ電力線間に接続されたコンデンサを含む、請求項1又は2に記載のサージ電流抑制回路。
【請求項４】
前記コンデンサは、前記第１の空心誘導子と前記電子装置との間に設けられる、請求項3に記載のサージ電流抑制回路。
【発明の詳細な説明】
【技術分野】
【０００１】
本発明は、サージ電流抑制回路に関し、より具体的には、突入電流を抑制するために空心誘導子（空心インダクタ）を使うサージ電流抑制回路に関する。
【背景技術】
【０００２】
図５を参照するに、落雷防止のための従来の方法は、主に、金属酸化物バリスタ（ＭＯＶ）を入力ヒューズ５１の後に追加することに依る。正常な動作中では、ＭＯＶ５０は、高インピーダンスとして存在し、まさに開回路のようになり、回路の動作から分離されて該回路の動作に影響を与えない。雷サージが前記回路を襲い、ＡＣ電力線から前記回路中に入り始めると、ＭＯＶ５０は、この高いサージ電圧によって起動され、低インピーダンスに変わり、短絡して高エネルギーを自身で吸収し、後続の回路を保護する。
【０００３】
ＭＯＶ５０は、高いエネルギー吸収能力と迅速な反応速度とで特徴付けられるが、耐用年数に問題がある。ＭＯＶ５０の特徴は起動回数と共に悪化し、例えば起動電圧はますます低くなり、漏れ電流は徐々に増大するであろう。ＭＯＶ５０は、起動電圧が低下して前記回路の正常な動作電圧に近づくと、該回路の正常な動作電圧によってしばしば起動されることがあり、最終的には、過熱し、破損し、着火することさえある。したがって、使用では、ＭＯＶ５０と共に温度ヒューズ５２を設置することがしばしば必要となり、温度ヒューズ５２は、先に作動し、ＭＯＶ５０が過熱する前に該ＭＯＶ５０を分離する。
【０００４】
上記したように、雷サージが襲うと、ＭＯＶ５０に瞬時の大きなインパルス電流が流れる。大電流は、また入力ヒューズ５１を通過する。入力ヒューズ５１は、この大きなインパルス電流に対処すべく、大きな電流に耐えて焼け切れないように、高「溶融体（melting integral）」（Ｉ２ｔ）を持つ必要がある。しかしながら、高溶融体は、通常、また高電流のランクを意味しおり、したがって、必要とするよりもはるかに高い電流値のランクのヒューズを使うことを結果として生じている。これに対処するために、しばしば、適正な電流ランクの特別なヒューズ５３が、前記回路を保護するためにＭＯＶ５０の後に置かれる。
【０００５】
さらに、安全基準は、「単一故障試験」を必要としている。短絡試験中、前記ヒューズには非常に高い電流が流入するであろう。アークや発火を避けるために、高い遮断性能を持つヒューズを使う必要がある。さらに、この種の高い遮断性能ヒューズは、同じ溶融レベル、高い遮断性能のヒューズを通常のものよりずっと高い電流ランクで作る必要があるために、より大きなサイズとより高いコストを必要とする。
【発明の概要】
【発明が解決しようとする課題】
【０００６】
本発明の主たる目的は、電子装置が突入電流によって影響を受けないように該電子装置を保護するサージ電流抑制回路を提供することにある。
【課題を解決するための手段】
【０００７】
サージ電流抑制回路は、ＡＣ電源と、第１のＡＣ電力線及び第２のＡＣ電力線を経由してＡＣ電力を受ける電子装置との間に適用される。基本的に、前記サージ電流抑制回路は、前記第１のＡＣ電力線に接続された第１の入力ヒューズと、サージ電流を抑制すべく、前記第１のＡＣ電力線の前記第１の入力ヒューズに直列に接続された第１の空心誘導子を備える。
【０００８】
しかしながら、実際の適用に応じて、前記サージ電流抑制回路は、さらに、前記第２のＡＣ電力線に接続された第２の空心誘導子と、前記２本のＡＣ電力線間又は該両電力線に接続されたコンデンサとを備えることができる。
【０００９】
雷サージが前記両ＡＣ電力線前記抑制回路を襲い該抑制回路に入り始めると、前記空心誘導子は、瞬時のサージ電流を抑制し、高い落雷電圧に耐え、これにより前記電子装置への落雷エネルギーの影響を低減する。
【００１０】
本発明の他の目的、利点及び斬新な特徴は、添付図面に関連しての以下の詳細な説明から、より明白になるであろう。
【図面の簡単な説明】
【００１１】
【図１】本発明に係るサージ電流抑制回路の第1の実施例の回路図である。
【図２】本発明に係るサージ電流抑制回路の第２の実施例の回路図である。
【図３】本発明に係るサージ電流抑制回路の第３の実施例の回路図である。
【図４】本発明に係るサージ電流抑制回路の第４の実施例の回路図である。
【図５】従来のサージ電流抑制回路の回路図である。
【発明を実施するための形態】
【００１２】
図１を参照するに、本発明のサージ電流抑制回路は、ＡＣ電源と、保護されるべき電子装置すなわち回路６０との間に適用される。電子装置６０は、第１のＡＣ電力線２１及び第２のＡＣ電力線２２を経由してＡＣ電力を受け取るいかなる装置であってもよく、どのような特定用途にも制限されない。例えば、電子装置６０は、電力供給装置、電源アダプターなどであるかもしれない。前記サージ電流抑制回路は、入力ヒューズ１１及び第１の空心誘導子１２とを含み、当該両者は、第１のＡＣ電力線２１上で直列に接続されている。
【００１３】
2013009475.tif 000003
【００１４】
前記サージ電流抑制回路、ＥＭＩ等を設置するための電力、利用可能な領域などの実用的な状況又は要件に応じて、第２の空心誘導子１３を用いることができ、これを図２及び３に例示するように、第２のＡＣ電力線２２に接続するとができる。必要ならば、電磁干渉（ＥＭＩ）を低減すべく、コンデンサ１４を追加して、これを２本のＡＣ電力線２１、２２間に接続することができる。
【００１５】
従来の抗サージ電流アプローチに比較して、本発明は以下の利点を有する。
【００１６】
１．ＭＯＶが無く、ＭＯＶ耐用年数問題のリスクがまったく無い。
【００１７】
２．ＭＯＶが無く、温度ヒューズが不要である。
【００１８】
３．電流の制限のための空心誘導子を使用するので、高い溶融体レベルのヒューズの使用の必要性がまったくい。したがって、妥当な電流ランクのヒューズを使用することができる。
【００１９】
４．「単一故障」短絡試験で、前記空心誘導子は、前記短絡電流のピーク値を制限し、したがって、「高い遮断性能」ヒューズを使う必要はまったく無い。
【００２０】
５．前記空心誘導子が突入電流を制限する機能を達成するので、そのための負の温度係数（ＮＴＣ）抵抗器を使う必要はまったく無い。
【００２１】
６．前記空心誘導子によって、前記保護された電子装置及び構成部品への落雷エネルギーによるストレスは大きく低減される。したがって、前記電子装置中に、より低いランクの整流ダイオード及び入力コンデンサのような構成部品を使用することが可能となる。
【００２２】
７．前記サージ電流抑制回路の構成は、非常に簡素で、信頼でき、効果的である。
【００２３】
８．サージ電流の抑制に加えて、また前記ＥＭＩが低減される。
【００２４】
本発明の特徴及び利点が、本発明の構造及び機能の詳細と共に前述の説明で記述されたが、前記した開示は単に説明のためになされ、本発明の範囲内での変更は細部で行うことができ、特に、部分的な形状、寸法及び配置についての変更は、添付の特許請求の範囲で表現される用語の広い一般的な意味によって示された十分に広い範囲で行い得ることが理解されよう。
【符号の説明】
【００２５】
１１  入力ヒューズ
１２  第１の空心誘導子
１３  第２の空心誘導子
１４  コンデンサ
２１  第１のＡＣ電力線
２２  第２のＡＣ電力線
６０  電子装置
【図１】
2013009475.tif 000004
【図２】
2013009475.tif 000005
【図３】
2013009475.tif 000006
【図４】
2013009475.tif 000007
【図５】
2013009475.tif 000008